(57)【要約】【課題】  フロントパネル側でＲＣＡジャックと２１ｐｉｎスカートジャックへの入力を行え、作業性を良くでき、２１ｐｉｎスカートジャックとＲＣＡジャックを有する交換治具とをフロントパネルの内側に納められ、外側に露出することを防ぐことができる。【解決手段】  筐体１３内にメイン基板８とメイン基板に接続され、２１ｐｉｎスカートジャック３が配置された小基板７とが配設され、筐体に小基板が移動可能な移動手段１１が設けられ、２１ｐｉｎスカートジャックの先端にＲＣＡジャックが前端面に設けられた交換治具６の後端が接続可能とされ、２１ｐｉｎスカートジャックは、スプリング１２でフロントパネル２側に向けて付勢され、フロントパネルに２１ｐｉｎスカートジャックの側面に形成された係止凹部３ａ又は交換治具の側面に形成された係止凹部６ｃに係入されて２１ｐｉｎスカートジャックと交換治具とが係止される係止手段４が設けられている。【選択図】  図５
2008310993.tif 000002
【特許請求の範囲】
【請求項１】
テレビジョン受像機の筐体の内部にメイン基板とこのメイン基板に接続され、上面側に２１ｐｉｎスカートジャックが配置された小基板とが配設され、前記筐体には前記２１ｐｉｎスカートジャックを配置した前記小基板が前記筐体内部奥側とフロントパネルの表面側とに移動可能な移動手段が設けられ、前記２１ｐｉｎスカートジャックの先端には、ＲＣＡジャックが前端面に設けられた交換治具の後端が接続可能とされ、前記２１ｐｉｎスカートジャックは、スプリングで前記フロントパネル側に向けて移動するように付勢されていて、前記フロントパネルには、前記２１ｐｉｎスカートジャックの側面に形成された係止凹部あるいは前記交換治具の側面に形成された係止凹部に係入されてこれら２１ｐｉｎスカートジャックと交換治具とが係止される係止手段が設けられ、前記２１ｐｉｎスカートジャックは前記スプリングの付勢力で前記フロントパネルに形成された開口部に前面が露出した状態で前記係止手段によって固定され、前記２１ｐｉｎスカートジャックに前記交換治具を接続して前記２１ｐｉｎスカートジャックを前記移動手段によって奥側に移動した際に、前記交換治具の前記ＲＣＡジャックが前記フロントパネルの開口部から露出した状態で前記係止手段によって前記交換治具が固定されるように構成され、前記フロントパネル側から前記２１ｐｉｎスカートジャックと前記交換治具のＰＣＡジャックに２１ｐｉｎケーブル又はＲＣＡケーブルを接続可能にしたことを特徴とするテレビジョン受像機。
【請求項２】
前記移動手段は、前記小基板の両縁部が移動可能に入り込み、前記筐体の底部に形成された左右一対の断面略Ｌ字形のガイドレールで構成されている請求項１に記載のテレビジョン受像機。
【請求項３】
前記小基板には、後側に開口部が形成され、この開口部内に前記スプリングの基端を支持するために前記筐体の底部から立設された板状体が嵌め入れられるように構成された請求項２に記載のテレビジョン受像機。
【請求項４】
前記係止手段は、前記フロントパネルの開口部の左右両側に水平向きに形成されたガイド溝と、これらのガイド溝に左右移動可能に嵌め込まれ、先端に前記２１ｐｉｎスカートジャックの係止凹部又は前記交換治具の係止凹部に係入される係止用ピンを有する断面略Ｈ字形の移動部材とからなる請求項１乃至３のいずれかに記載のテレビジョン受像機。
【発明の詳細な説明】
【技術分野】
【０００１】
本発明は、フロントパネル側に２１ｐｉｎスカートジャックと交換治具のＲＣＡジャックとを配置することが可能なテレビジョン受像機に関するものである。
【背景技術】
【０００２】
従来のテレビジョン受像機では、フロントパネル側にＲＣＡジャックが配置され、リアパネル側に２１ｐｉｎスカートジャックが配置されていたために、２１ｐｉｎケーブルを２１ｐｉｎスカートジャックに接続するには、テレビジョン受像機の裏側で接続しなくてはならず、この作業が行い難いという問題があった。
【０００３】
第１の従来技術を図６、７に示す。この従来の車載用変換プラグ装置は、図６、図７に示すように、シガーライター用のソケット１３１に車載用変換プラグ装置１０１の挿入部１０４を接続するとともに、この車載用変換プラグ装置１０１に、デジタルビデオ、カラオケ機器、ゲーム機器等の外部電子機器を接続し、この外部電子機器を操作することにより、カーオーディオデッキ１４１と外部電子機器の間で無線でデータの遣り取りを行なう。（例えば、特許文献１参照）。
ところが、これにおいては、車載用変換プラグ装置１０１が外側に露出してしまうという問題があった。
【０００４】
【特許文献１】特開２００３―１５１７０４号公報
【発明の開示】
【発明が解決しようとする課題】
【０００５】
本発明は、上記従来の問題に鑑みてなされたものであって、フロントパネル側でＲＣＡジャックと２１ｐｉｎスカートジャックへの入力を行うことができて、作業性を良くすることができ、しかも、２１ｐｉｎスカートジャックとＲＣＡジャックを有する交換治具とをフロントパネルの内側に納めることができて、外側に露出することを防ぐことができるテレビジョン受像機を提供することを目的としている。
【課題を解決するための手段】
【０００６】
本発明は、上記課題を解決するために提案されたものであって、請求項１に記載の発明は、テレビジョン受像機の筐体の内部にメイン基板とこのメイン基板に接続され、上面側に２１ｐｉｎスカートジャックが配置された小基板とが配設され、前記筐体には前記２１ｐｉｎスカートジャックを配置した前記小基板が前記筐体内部奥側とフロントパネルの表面側とに移動可能な移動手段が設けられ、前記２１ｐｉｎスカートジャックの先端には、ＲＣＡジャックが前端面に設けられた交換治具の後端が接続可能とされ、前記２１ｐｉｎスカートジャックは、スプリングで前記フロントパネル側に向けて移動するように付勢されていて、前記フロントパネルには、前記２１ｐｉｎスカートジャックの側面に形成された係止凹部あるいは前記交換治具の側面に形成された係止凹部に係入されてこれら２１ｐｉｎスカートジャックと交換治具とが係止される係止手段が設けられ、前記２１ｐｉｎスカートジャックは前記スプリングの付勢力で前記フロントパネルに形成された開口部に前面が露出した状態で前記係止手段によって固定され、前記２１ｐｉｎスカートジャックに前記交換治具を接続して前記２１ｐｉｎスカートジャックを前記移動手段によって奥側に移動した際に、前記交換治具の前記ＲＣＡジャックが前記フロントパネルの開口部から露出した状態で前記係止手段によって前記交換治具が固定されるように構成され、前記フロントパネル側から前記２１ｐｉｎスカートジャックと前記交換治具のＰＣＡジャックに２１ｐｉｎケーブル又はＲＣＡケーブルを接続可能としたことを特徴としている。
【０００７】
請求項２に記載の発明は、請求項１に記載の発明において、前記移動手段は、前記小基板の両縁部が移動可能に入り込み、前記筐体の底部に形成された左右一対の断面略Ｌ字形のガイドレールで構成されている。
【０００８】
請求項３に記載の発明は、請求項２に記載の発明において、前記小基板には、後側に開口部が形成され、この開口部内に前記スプリングの基端を支持するために前記筐体の底部から立設された板状体が嵌め入れられるように構成されたものである。
【０００９】
請求項４に記載の発明は、請求項１乃至３のいずれかに記載の発明において、前記係止手段は、前記フロントパネルの開口部の左右両側に水平向きに形成されたガイド溝と、これらのガイド溝に左右移動可能に嵌め込まれ、先端に前記２１ｐｉｎスカートジャックの係止凹部又は前記交換治具の係止凹部に係入される係止用ピンを有する断面略Ｈ字形の移動部材とからなるものである。
【発明の効果】
【００１０】
請求項１に記載の発明によれば、筐体に設けられた移動手段で２１ｐｉｎスカートジャックを移動して、この２１ｐｉｎスカートジャックがフロントパネルに係止手段で固定されている場合には、この２１ｐｉｎスカートジャックに２１ｐｉｎケーブルを接続することができる。また、２１ｐｉｎスカートジャックに交換治具の後端を接続して２１ｐｉｎスカートジャックを移動手段で筐体の奥側に移動し、交換治具をフロントパネルに係止手段で固定した場合には、この交換治具のＲＣＡジャックにＲＣＡケーブルを接続することができる。従って、フロントパネル側でＲＣＡジャックと２１ｐｉｎスカートジャックへの入力を行うことができて、作業性を良くすることができる。しかも、２１ｐｉｎスカートジャックとＲＣＡジャックを有する交換治具とをフロントパネルの内側に納めることができて、外側に露出することを防ぐことができる。また、２１ｐｉｎスカートジャックは、スプリングでフロントパネル側に向けて移動するように付勢されているから、２１ｐｉｎスカートジャックをスプリングの付勢力で自動的にフロントパネル側に移動させることができる。
【００１１】
請求項２に記載の発明によれば、移動手段が、小基板の両縁部が移動可能に入り込み、筐体の底部に形成された左右一対の断面Ｌ字形のガイドレールで構成されているから、別部品を必要とせず、構成を簡単化することができる。
【００１２】
請求項３に記載の発明によれば、小基板の後側に開口部が形成され、この開口部内にスプリングの基端を支持するために筐体の底部から立設された板状体が嵌め入れられるように構成されているから、２１ｐｉｎスカートジャックが配置された小基板の前後移動を支障なく行うことができる。しかも、板状体でスプリングを確実に支持することができ、スプリングの離脱を防ぐことができる。
【００１３】
請求項４に記載の発明によれば、係止手段が、フロントパネルの開口部の左右両側に形成されたガイド溝と、これらのガイド溝に左右移動可能に嵌め込まれ、先端に２１ｐｉｎスカートジャックの係止凹部又は交換治具の係止凹部に係入される係止用ピンを有する断面略Ｈ字形の移動部材とからなるものであるから、移動部材の他に別部材を必要とせずに部品点数を少なくすることができる。また、係止用ピンが２１ｐｉｎスカートジャックの係止凹部又は交換治具の係止凹部に係入されることにより、２１ｐｉｎスカートジャックと交換治具を表面が露見された状態でフロントパネル内に収容することができ、しかも、２１ｐｉｎケーブルやＲＣＡケーブルを接続する作業を簡単に行うことができる。
【発明を実施するための最良の形態】
【００１４】
以下、本発明に係るテレビジョン受像機の実施の形態について、図を参照しつつ説明する。
図１は本実施形態のテレビジョン受像機のフロントパネルに２１ｐｉｎスカートジャックを固定した状態の正面図、図２はテレビジョン受像機のフロントパネルにＲＣＡジャックを有する交換治具を固定した状態の正面図である。
本実施形態のテレビジョン受像機は、図１に示すように、テレビジョン受像機１のフロントパネル２の下部の左側に開口部２ａが形成され、この開口部２ａには２１ｐｉｎスカートジャック３が両側の係止手段４によって固定されるようになっている。また、２１ｐｉｎスカートジャック３をフロントパネル２の奥側に移動した状態で、図２に示すように、先端に３本のＲＣＡジャック５Ａ、５Ｂ、５Ｃを有する交換治具６がフロントパネル２の開口部２ａに係止手段４によって固定されるようになっている。
【００１５】
図３はＲＣＡジャックを有する交換治具を示し、（ａ）はその平面図、（ｂ）はその後端の接続部を示す正面図である。
交換治具６は、図３に示すように、前側に３本のＲＣＡジャック５Ａ、５Ｂ、５Ｃが設けられ、後側の接続部６ａが２１ｐｉｎスカートジャック３に接続できるようになっている。右側のＲＣＡジャック５Ａはライト側の音声信号が入力され、中央のＲＣＡジャック５Ｂはレフト側の音声信号が入力され、左側のＲＣＡジャック５Ｃはビデオ信号が入力されるようになっている。この交換治具６の後端の接続部６ａを２１ｐｉｎスカートジャック３に接続すると、右側のＲＣＡジャック５Ａは２ピンに接続され、中央のＲＣＡジャック５Ｂは６ピンに接続され、左側のＲＣＡジャック５Ｃは２０ピンに接続されるようになっている。
【００１６】
図４（ａ）はテレビジョン受像機の筐体内におけるフロントパネル側に２１ｐｉｎスカートジャックを位置させた状態の部分側面図、（ｂ）は筐体内の奥側に２１ｐｉｎスカートジャックを移動させて交換治具を筐体内におけるフロントパネル側に位置させた状態の部分側面図、図５（ａ）は筐体の底部に設けたガイドレールに２１ｐｉｎスカートジャックが実装された小基板の両側縁を嵌め入れた状態の部分正面図、（ｂ）は（ａ）の部分平面図、（ｃ）は（ｂ）の状態から２１ｐｉｎスカートジャックを筐体内の奥部に移動して交換治具を筐体内のフロントパネル側に位置させた状態の部分平面図、（ｄ）はフロントパネルに２１ｐｉｎスカートジャックを固定した状態の部分正面図、（ｅ）は（ｄ）におけるＡ−Ａ線部分断面図、（ｆ）はフロントパネルに交換治具を固定した状態の部分正面図である。
【００１７】
図４（ａ）に示すように、２１ｐｉｎスカートジャック３は小基板７に実装され、この小基板７とメイン基板８はコード９で接続されている。２１ｐｉｎスカートジャック３が実装された小基板７は図５（ａ）にも示すように、その両縁部が断面略Ｌ字形のガイドレール１０からなる移動手段１１に移動可能に嵌め入れられている。図４（ａ）では、２１ｐｉｎスカートジャック３がフロントパネル（図示略）側に位置しており、スプリング１２によって前向きに付勢されている。スプリング１２の基端部は筐体１３から立設された板状体１４に取り付けられている。この２１ｐｉｎスカートジャックには、２１ｐｉｎケーブル１５が接続されるようになっている。
【００１８】
図５（ｂ）にも示すように、小基板７には小基板７が２１ｐｉｎスカートジャック３とともに移動した際に板状体１４が当たらないように開口部７ａが形成されている。図４（ｂ）、図５（ｃ）に示すように、２１ｐｉｎスカートジャック３の後端に交換治具６の接続部６ａが接続されてこの交換治具６を内部側に押すと、２１ｐｉｎスカートジャック３と小基板７がスプリング１２の付勢力によって奥側に移動し、フロントパネル（図示略）側に交換治具６が位置することになる。図４（ｂ）に示すように、この交換治具６のＲＣＡジャック５Ａ、５Ｂ、５ＣにはＲＣＡケーブル１６が接続されるようになっている。
【００１９】
図５（ｄ）（ｅ）（ｆ）に示すように、２１ｐｉｎスカートジャック３と交換治具６にはその両側面には係止凹部３ａ、６ｃが形成されていて、フロントパネル２には係止手段４が設けられている。この係止手段４は、フロントパネル２の開口部２ａの左右両側に水平向きに形成されたガイド溝２ｂ、２ｂと、これらのガイド溝２ｂ、２ｂに左右移動可能に嵌め込まれ、先端に係止用ピン１７ａを有する断面略Ｈ字形の移動部材１７とから構成されている。図５（ｄ）に示すように、係止用ピン１７ａが２１ｐｉｎスカートジャック３の両側面の係止凹部３ａに係入されると、この２１ｐｉｎスカートジャック３がフロントパネル２に固定される。また、図５（ｆ）に示すように、係止用ピン１７ａが交換治具６の両側面の係止凹部６ｃに係入されるとフロントパネル２に交換治具６が固定される。
【００２０】
従って、本実施形態によれば、テレビジョン受像機１の筐体１３に設けられた移動手段１１で２１ｐｉｎスカートジャック３を移動して、この２１ｐｉｎスカートジャック３がフロントパネル２に係止手段４で固定されている場合には、この２１ｐｉｎスカートジャック３に２１ｐｉｎケーブル１５を接続することができる。また、２１ｐｉｎスカートジャック３に交換治具６の後端を接続して２１ｐｉｎスカートジャック３を移動手段１１で筐体１３の奥側に移動し、交換治具６をフロントパネル２に係止手段４で固定した場合には、この交換治具６のＲＣＡジャック５Ａ、５Ｂ、５ＣにＲＣＡケーブル１６を接続することができる。従って、フロントパネル２側でＲＣＡジャック５Ａ、５Ｂ、５Ｃと２１ｐｉｎスカートジャック３への入力を行うことができて、作業性を良くすることができる。しかも、２１ｐｉｎスカートジャック３とＲＣＡジャック５Ａ、５Ｂ、５Ｃを有する交換治具６とをフロントパネル２の内側に納めることができて、外側に露出することを防ぐことができる。また、２１ｐｉｎスカートジャック３は、スプリング１２でフロントパネル２側に向けて移動するように付勢されているから、２１ｐｉｎスカートジャック３をスプリング１２の付勢力で自動的にフロントパネル２側に移動させることができる。
【００２１】
更に、移動手段１１が、小基板７の両縁部が移動可能に入り込み、筐体１３の底部に形成された左右一対の断面Ｌ字形のガイドレール１０で構成されているから、別部品を必要とせず、構成を簡単化することができる。また、小基板７の後側に開口部７ａが形成され、この開口部７ａ内にスプリング１２の基端を支持するために筐体１３の底部から立設された板状体１４が嵌め入れられるように構成されているから、２１ｐｉｎスカートジャック３が配置された小基板７の前後移動を支障なく行うことができる。しかも、板状体１４でスプリング１２を確実に支持することができ、スプリング１２の離脱を防ぐことができる。
【００２２】
更に、係止手段４が、フロントパネル２の開口部２ａの左右両側に形成されたガイド溝２ｂと、これらのガイド溝２ｂに左右移動可能に嵌め込まれ、先端に２１ｐｉｎスカートジャック３の係止凹部６ｃ又は交換治具６の係止凹部６ｃに係入される係止用ピン１７ａを有する断面略Ｈ字形の移動部材１７とからなるものであるから、移動部材１７の他に別部材を必要とせずに部品点数を少なくすることができる。また、係止用ピン１７ａが２１ｐｉｎスカートジャック３の係止凹部３ａ又は交換治具６の係止凹部６ｃに係入されることにより、２１ｐｉｎスカートジャック３と交換治具６を表面が露見された状態でフロントパネル２内に収容することができ、しかも、２１ｐｉｎケーブル１５やＲＣＡケーブル１６を接続する作業を簡単に行うことができる。
【図面の簡単な説明】
【００２３】
【図１】本実施形態のテレビジョン受像機のフロントパネルに２１ｐｉｎスカートジャックを固定した状態の正面図である。
【図２】テレビジョン受像機のフロントパネルにＲＣＡジャックを有する交換治具を固定した状態の正面図である。
【図３】ＲＣＡジャックを有する交換治具を示し、（ａ）はその平面図、（ｂ）はその後端の接続部を示す正面図である。
【図４】（ａ）はテレビジョン受像機の筐体内におけるフロントパネル側に２１ｐｉｎスカートジャックを位置させた状態の部分側面図、（ｂ）は筐体内の奥側に２１ｐｉｎスカートジャックを移動させて交換治具を筐体内におけるフロントパネル側に位置させた状態の部分側面図である。
【図５】（ａ）は筐体の底部に設けたガイドレールに２１ｐｉｎスカートジャックが実装された小基板の両側縁を嵌め入れた状態の部分正面図、（ｂ）は（ａ）の部分平面図、（ｃ）は（ｂ）の状態から２１ｐｉｎスカートジャックを筐体内の奥部に移動して交換治具を筐体内のフロントパネル側に位置させた状態の部分平面図、（ｄ）はフロントパネルに２１ｐｉｎスカートジャックを固定した状態の部分正面図、（ｅ）は（ｄ）におけるＡ−Ａ線部分断面図、（ｆ）はフロントパネルに交換治具を固定した状態の部分正面図である。
【図６】従来の車載用変換プラグ装置の外観図である。
【図７】同プラグ装置のブロック図である。
【符号の説明】
【００２４】
１      テレビジョン受像機
２      フロントパネル
２ａ    開口部
２ｂ    ガイド溝
３      ２１ｐｉｎスカートジャック
３ａ    係止凹部
４      係止手段
５Ａ    ＲＣＡジャック
５Ｂ    ＲＣＡジャック
５Ｃ    ＲＣＡジャック
６      交換治具
６ａ    接続部
６ｃ    係止凹部
７      小基板
７ａ    開口部
８      メイン基板
９      コード
１０    ガイドレール
１１    移動手段
１２    スプリング
１３    筐体
１４    板状体
１５    ２１ｐｉｎケーブル
１６    ＲＣＡケーブル
１７    移動部材
１７ａ  係止用ピン
【図１】
2008310993.tif 000003
【図２】
2008310993.tif 000004
【図３】
2008310993.tif 000005
【図４】
2008310993.tif 000006
【図５】
2008310993.tif 000007
【図６】
2008310993.tif 000008
【図７】
2008310993.tif 000009